(57)【特許請求の範囲】
【請求項１】
窓枠の窓幅方向両端部分を構成する縦枠部材の上端側に設置される窓上防水部材であって、
上面が窓枠の窓幅方向端部側へ向けて下り勾配に傾斜するベース部と、
前記窓幅方向への通気が可能で、且つ、前記窓幅方向中央側への水侵入を防止可能なラビリンスシール部と、を備えると共に、
前記ベース部の傾斜した上面の上側に、前記ラビリンスシール部が一体に立設されたことを特徴とする窓上防水部材。
【請求項２】
前記ベース部からシール壁部が一体に立設されたことを特徴とする請求項１記載の窓上防水部材。
【請求項３】
前記シール壁部が前記ベース部の窓内外方向の縁部から立設されたことを特徴とする請求項２記載の窓上防水部材。
【請求項４】
前記ベース部と、ベース部の窓内外方向の両側縁部から立設された一対のシール壁部とが、側面視Ｕ字状とされたことを特徴とする請求項３記載の窓上防水部材。
【請求項５】
前記ベース部の下面が水平な面とされたことを特徴とする請求項１ないし請求項４のいずれか１項に記載の窓上防水部材。
【請求項６】
前記ラビリンスシール部は、少なくとも先端部が窓幅方向端部側へ向けて傾斜する傾斜フィン部を有することを特徴とする請求項１ないし請求項５のいずれか１項に記載の窓上防水部材。
【請求項７】
窓枠を構成する縦枠部材の上端部に設置される窓縦枠用蓋部材であって、
請求項１ないし請求項６のいずれか１項に記載の窓上防水部材が、上面に一体または別体に取付けられたことを特徴とする窓縦枠用蓋部材。
【請求項８】
窓枠の上方に窓上隙間部を有して外壁材を設置し、前記窓上隙間部を防水可能に構成する窓上防水構造において、
前記窓上隙間部における、窓枠の中央部分に、外気と圧力が等しくなる外気等圧空間を設け、
前記窓上隙間部における、窓枠の両端部分に、前記外気等圧空間を外気に連通可能な請求項１ないし請求項６のいずれか１項に記載の窓上防水部材を設けたことを特徴とする窓上防水構造。
【請求項９】
前記外気等圧空間が、窓枠上縁部の室内側縁部から上方へ向けて延設された立上壁と、前記窓上隙間部に室外側から嵌着された一次防水部材との間に画成されたことを特徴とする請求項８記載の窓上防水構造。
【発明の詳細な説明】
【技術分野】
【０００１】
この発明は、窓上防水部材、この窓上防水部材を備えた窓縦枠用蓋部材および窓上防水構造に関するものである。
【背景技術】
【０００２】
住宅などの建物には、通常、窓が設けられている。この窓の上方には、僅少な窓上隙間部を有して外壁材が設置される。そして、この窓上隙間部は、外部から雨水などの水が侵入しないようにするために、防水構造にする必要がある。
【０００３】
従来、上記した窓上隙間部に対する窓上防水構造としては、特許文献１のようなものが知られている。
【０００４】
この窓上防水構造は、上記した窓上隙間部に対して、先ず、金属製の水切部材を設置し、この水切部材の下部と、窓枠の上縁部との間に、ブチルゴムシーラントなどのシール用詰物をして窓上隙間部を完全に閉塞するようにしている。そして、この窓上隙間部の窓幅方向両端部分には、シール用のスペーサーを取付けるようにしている。
【先行技術文献】
【特許文献】
【０００５】
【特許文献１】特開２００１−７３４７６号公報
【発明の概要】
【発明が解決しようとする課題】
【０００６】
しかしながら、上記特許文献１に記載された窓上防水構造では、窓上隙間部に対して、金属製の水切部材を取付けると共に、更にブチルゴムシーラントなどのシール用詰物などを挿入するようにしているので、構造が複雑で、施工に手間がかかるという問題があった。
【０００７】
また、窓上隙間部をブチルゴムシーラントなどのシール用詰物やシール用のスペーサーで完全に閉塞する防水構造としているため、所望の防水性能を確保するための施工管理が大変であるという問題があった。即ち、ブチルゴムシーラントなどのシール用詰物の詰め方によって、防水性能に違いが出るおそれがあるという問題があった。
【課題を解決するための手段】
【０００８】
上記課題を解決するために、本発明は、窓枠の窓幅方向両端部分を構成する縦枠部材の上端側に設置される窓上防水部材であって、上面が窓枠の窓幅方向端部側へ向けて下り勾配に傾斜するベース部と、前記窓幅方向への通気が可能で、且つ、前記窓幅方向中央側への水侵入を防止可能なラビリンスシール部と、を備えると共に、前記ベース部の傾斜した上面の上側に、前記ラビリンスシール部が一体に立設されたことを特徴とする。
【０００９】
また、上記窓上防水部材を備えた窓縦枠用蓋部材および窓上防水構造を特徴とする。
【発明の効果】
【００１０】
本発明によれば、上記構成によって、以下のような作用効果を得ることができる。即ち、窓上防水部材のベース部は、その傾斜した上面が排水路となるため、水（雨水など）を窓枠の窓幅方向中央側から端部側へ向かって排水することができる。また、ベース部の傾斜した上面に一体に立設されたラビリンスシール部は、窓幅方向への通気を許容すると共に、窓幅方向端部側から中央側への水侵入を防止することができる。
【図面の簡単な説明】
【００１１】
【図１】本発明の実施例にかかる窓の正面図である。
【図２】図１の窓上半部分の分解斜視図である。
【図３】図２の窓枠における縦枠部材の上端側の部分拡大斜視図である。
【図４】図３の窓上防水部材の正面図である。
【図５】図３の窓上防水部材の平面図である。
【図６】図１の窓上半部分の窓幅方向中央部分（Ａ−Ａ矢視部分）の縦断面図である。
【発明を実施するための形態】
【００１２】
以下、本発明を具体化した実施例を、図面を用いて詳細に説明する。
【実施例】
【００１３】
＜構成＞以下、構成について説明する。
【００１４】
図１〜図６は、この実施例を示すものである。
【００１５】
住宅などの建物には、通常、図１に示すような、窓１が設けられる。この窓１の少なくとも上方には、僅少な窓上隙間部２を有して外壁材３が設置される。そして、この窓上隙間部２を、外部からの雨水などの水の侵入がないように、防水構造にする。
【００１６】
そして、以上のような基本構成に対し、この実施例のものでは、以下のような構成を備えるようにしている。
【００１７】
（構成１）窓上防水部材１１について
図１（または図２）に示すように、窓１における窓枠５の両端部分を構成する縦枠部材５ａの上端側に、この実施例にかかる窓上防水部材１１を設置する。
【００１８】
この窓上防水部材１１を、図３（〜図５）に示すようなものとする。先ず、この窓上防水部材１１を、ほぼ水平なベース部１３（ベースプレート）を有するものとする。そして、このベース部１３を、窓枠５の窓幅方向１２の端部側へ向けて下り勾配に傾斜する上面（傾斜面１３ａ）を有するものとする。また、上記窓上防水部材１１を、ベース部１３の傾斜した上面に立設されたラビリンスシール部１４を有するものとする。このラビリンスシール部１４は、窓幅方向１２への通気が可能で、且つ、窓幅方向１２中央側への水侵入を防止可能なものとする。
【００１９】
ここで、ベース部１３とラビリンスシール部１４とは、一体または別体のものとすることができる。ここでは、ベース部１３とラビリンスシール部１４とは、一体に成形されたものとしている。
【００２０】
更に、ベース部１３における窓内外方向１５の両縁部から、それぞれ窓上隙間部２とほぼ同じ高さのシール壁部１６（室内側シール壁部１６ａ、室外側シール壁部１６ｂ）が一体に立設されている。この一対のシール壁部１６とベース部１３とにより、窓上防水部材１１は、側面視ほぼＵ字状のものとされる。そして、このシール壁部１６とベース部１３に対して窓上隙間部２とほぼ同じ高さのラビリンスシール部１４が一体に形成されている。
【００２１】
ラビリンスシール部１４は、室内側シール壁部１６ａから窓内外方向１５の中間部へ向けて延びる室内側ラビリンスフィン部１４ａと、室外側シール壁部１６ｂから窓内外方向１５の中間部へ向けて延びる室外側ラビリンスフィン部１４ｂとを有するものとされる。室内側ラビリンスフィン部１４ａおよび室外側ラビリンスフィン部１４ｂは、それぞれ、単数または複数設けられる。室内側ラビリンスフィン部１４ａおよび室外側ラビリンスフィン部１４ｂは、窓幅方向１２に沿って交互に設けられる。室内側ラビリンスフィン部１４ａおよび室外側ラビリンスフィン部１４ｂは、互いの先端部が窓内外方向１５に対して重複される。これにより、室内側ラビリンスフィン部１４ａと室外側ラビリンスフィン部１４ｂとの間に、蛇行する通気路および排水路が形成される。
【００２２】
（構成２）傾斜フィン部１７について
上記したラビリンスシール部１４は、少なくとも先端部が窓幅方向１２の端部側へ向けて傾斜する傾斜フィン部１７を有するものとされる。
【００２３】
ここで、室内側ラビリンスフィン部１４ａおよび室外側ラビリンスフィン部１４ｂは、設置された全てのものまたは一部のものに対し、上記した傾斜フィン部１７を設けることができる。但し、少なくとも、最も窓幅方向１２の端部側に位置する室内側ラビリンスフィン部１４ａおよび室外側ラビリンスフィン部１４ｂについては、傾斜フィン部１７を設けるようにする。
【００２４】
また、各室内側ラビリンスフィン部１４ａおよび室外側ラビリンスフィン部１４ｂは、全長に亘って上記傾斜フィン部１７としたり、または、先端部のみを部分的に上記傾斜フィン部１７としたりすることができる。
【００２５】
この場合には、各室内側ラビリンスフィン部１４ａおよび室外側ラビリンスフィン部１４ｂは、設置されたほぼ全てのものを全長に亘って傾斜フィン部１７としている。なお、傾斜フィン部１７とされた各室内側ラビリンスフィン部１４ａおよび室外側ラビリンスフィン部１４ｂは、室内側シール壁部１６ａおよび室外側シール壁部１６ｂに対する接続部分の強度を向上するためにｙ字状の分岐形状を有するものとされている。
【００２６】
（構成３）窓縦枠用蓋部材２１について
窓枠５を構成する縦枠部材５ａの上端部に窓縦枠用蓋部材２１が設置される。そして、この窓縦枠用蓋部材２１の上面に、上記した窓上防水部材１１が、一体または別体に取付けられる。
【００２７】
ここで、窓縦枠用蓋部材２１は、縦枠部材５ａの上端部を閉塞するためのものである。そして、この場合、窓上防水部材１１のベース部１３が、窓縦枠用蓋部材２１の上面部分となるようにして一体化している。更に、図４に示すように、窓上防水部材１１のベース部１３の下面側に、縦枠部材５ａ上端部の内部へ上方から嵌合固定可能な縦枠取付用嵌合部２１ａを一体に設けるようにしている。
【００２８】
また、窓縦枠用蓋部材２１と窓上防水部材１１とを別体化する場合には、窓縦枠用蓋部材２１の上部に、窓上防水部材１１のベース部１３を当接固定し得るようにする。
【００２９】
（構成４）窓上防水構造について
図１、図２に示すように、窓枠５の上方に窓上隙間部２を有して外壁材３を設置し、窓上隙間部２を防水可能に構成するようにした上記窓上防水構造に対し、窓上隙間部２における、窓枠５の窓幅方向１２の中央部分（の内側）に、図６に示すような、外気と圧力が等しくなる外気等圧空間２５を設ける。そして、窓上隙間部２における、窓枠５の両端部分に、図３〜図５に示すような、上記外気等圧空間２５を外気に連通可能な上記した窓上防水部材１１を設けるようにする。
【００３０】
ここで、上記した外気等圧空間２５は、窓枠５の中央部分を構成する上枠部材５ｂの上側部分に設けられる。なお、窓上防水部材１１は、窓縦枠用蓋部材２１と一体のものおよび別体のものを含むものとする。
【００３１】
（構成５）窓上防水構造の詳細について
より具体的には、図３に示すように、上記外気等圧空間２５が、窓枠５上縁部の室内側縁部から上方へ向けて延設された立上壁２６と、窓上隙間部２に室外側から嵌着された一次防水部材２７との間に画成されるようにする。
【００３２】
ここで、立上壁２６は、窓枠５上縁部を構成する縦枠部材５ａおよび上枠部材５ｂの両方に対してそれぞれ設けられる。一次防水部材２７には、図６に示すように、外壁材３とほぼ同程度の厚みを有する、或いは、窓枠５の窓内外方向１５のほぼ半分程度の厚みを有する発泡体などが使用される。この一次防水部材２７は、窓上隙間部２と同じ高さか、それよりも若干大きい高さを有するものとされる。この一次防水部材２７は、窓上隙間部２に対し、外壁材３とほぼ面一状態となるように取付けられる。
【００３３】
なお、図１、図２に示すように、上記した窓枠５の両側部には、別の外壁材３１が設置され、窓枠５と別の外壁材３１との間に形成される窓横隙間部３２には、図５に示すような、目地ガスケット３３が挿入設置される。この目地ガスケット３３が挿着された窓横隙間部３２は、縦排水路としての機能も有している。
【００３４】
更に、図２に示すように、窓横隙間部３２の室内側（奥側）には、図２に示すように、金属製のスタッドなどの縦部材３４が設置される。また、窓上隙間部２周辺の室内側（奥側）には、金属製のアングル材などの横部材３５が設置される。即ち、上記した縦部材３４や横部材３５などの建物構造材の室外側に対して、上記した窓枠５や外壁材３や別の外壁材３１が取付けられる。
【００３５】
そして、図６に示すように、上記した立上壁２６と、外壁材３の裏面に取付けられたフレーム３６（ロ型フレーム）とが、上記した横部材３５に対して、リベットやネジや釘などの取付部材３７を用いて同時に固定される。これにより、上記した外気等圧空間２５は、窓枠５上縁部から外壁材３裏面のフレーム３６に達する高さを有する、密閉度の高い空間とされる。
【００３６】
＜作用効果＞この実施例によれば、以下のような作用効果を得ることができる。
【００３７】
（作用効果１）窓上防水部材１１について
窓上防水部材１１のベース部１３は、その傾斜した上面が排水路となるため、雨水などの水を窓枠５の窓幅方向１２中央側から端部側へ向かって排水することができる。
【００３８】
また、ベース部１３の傾斜した上面に立設されたラビリンスシール部１４は、窓幅方向１２への通気を許容しつつ、窓幅方向１２端部側から中央側への水の侵入を防止することができる。
【００３９】
これにより、窓上隙間部２（外気等圧空間２５や窓上防水部材１１の部分）へ入った水を、目地ガスケット３３が挿入された窓横隙間部３２へ向けて排水することができる（矢印ｘ）。また、目地ガスケット３３に当たるなどして窓上隙間部２側へ逆流しようとする水をラビリンスシール部１４によって堰止めて滞留させることができる（矢印ｙ）。
【００４０】
また、ラビリンスシール部１４からの通気により、窓上隙間部２を常時乾燥状態に保つことができる。
【００４１】
（作用効果２）傾斜フィン部１７について
ラビリンスシール部１４が、少なくとも先端部が窓幅方向１２端部側へ向けて傾斜する傾斜フィン部１７を有することにより、窓幅方向１２端部側から中央側への水侵入に対する防止作用効果を、より一層高めることが可能となる。即ち、傾斜フィン部１７の傾斜形状が、より効果的に逆流しようとする水を堰止めて滞留させるようにする。特に、最も窓幅方向１２の端部側に位置する室内側ラビリンスフィン部１４ａおよび室外側ラビリンスフィン部１４ｂを傾斜フィン部１７とすることにより、最も効果的に逆流使用とする水を堰止めて滞留させることができる。
【００４２】
（作用効果３）窓縦枠用蓋部材２１について
窓縦枠用蓋部材２１の上面に、上記した窓上防水部材１１を一体に取付けることにより、窓縦枠用蓋部材２１と窓上防水部材１１とを別々に設ける場合に比べて、部品点数を減らしてコストを削減すると共に、縦枠部材５ａの上端部に対して窓縦枠用蓋部材２１と窓上防水部材１１との両方を設置する手間を削減することができる。
【００４３】
また、窓縦枠用蓋部材２１の上面に、上記した窓上防水部材１１を別体に取付けることにより、既存の窓枠５の縦枠部材５ａに取付けられた窓縦枠用蓋部材２１に対し、上記窓上防水部材１１を取付けて、この実施例の窓上防水構造を実施することが可能となる。
【００４４】
（作用効果４）窓上防水構造について
窓上隙間部２における、窓枠５の中央部分（の内側）に、外気と圧力が等しくなる外気等圧空間２５を設けることにより、窓上隙間部２を完全に埋めなくても、外部からの水侵入を生じ難い、水密性の高い防水構造を得ることが可能となる。これにより、簡単な構造で所望の防水性能を確保しつつ、施工管理を容易化することができるようになる。
【００４５】
また、窓上隙間部２における窓枠５の両端部分に、上記した窓上防水部材１１を設けることにより、外気等圧空間２５への外部からの水侵入を効果的に防止しつつ、外気等圧空間２５を外気と連通することが可能となる。
【００４６】
（作用効果５）窓上防水構造の詳細について
外気等圧空間２５を、窓枠５上縁部と一体の立上壁２６と、窓上隙間部２に嵌着した一次防水部材２７との間に画成することにより、上記窓上隙間部２に金属製の水切部材を設けたり、窓上隙間部２をブチルゴムシーラントなどのシール用詰物によって完全に閉塞したりする必要をなくして、構造簡略化と施工の容易化とを図ることができる。
【００４７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４８】
２    窓上隙間部
３    外壁材
５    窓枠
５ａ  縦枠部材
１１  窓上防水部材
１２  窓幅方向
１３  ベース部
１４  ラビリンスシール部
１７  傾斜フィン部
２１  窓縦枠用蓋部材
２５  外気等圧空間
２６  立上壁
２７  一次防水部材
【図１】
0005671372.tif 000002
【図２】
0005671372.tif 000003
【図３】
0005671372.tif 000004
【図４】
0005671372.tif 000005
【図５】
0005671372.tif 000006
【図６】
0005671372.tif 000007